(57)【要約】【課題】除霜時間の短縮や、熱効率の向上により、ヒータの低容量化が図れるなど省エネ性を向上した除霜装置を提供する。【解決手段】エバポレータ１と、ガラス管ヒータ２と、内面を放物面に接する複数の反射板３Ａ，３Ｂ，３Ｃ，３Ｄとを順次上方より設置し、ガラス管ヒータ２の中心軸を反射板３内面の放物面の焦点に設置したので、ガラス管ヒータ２から照射され反射板３Ａ，３Ｂ，３Ｃ，３Ｄで反射された熱を全てエバポレータ１の方向に輻射するので、輻射熱を有効に除霜に使用でき、除霜効率を向上することができる。【選択図】図１
2011196561.tif 000002
【特許請求の範囲】
【請求項１】
エバポレータと、前記エバポレータの上流に配置したガラス管ヒータと、複数の反射板とよりなり、複数の前記反射板の反射面を放物線の接線上に配置し、前記放物線の焦点に前記ガラス管ヒータの中心を設置し、前記反射板の反射方向に前記エバポレータを配設した除霜装置。
【請求項２】
複数の前記反射板の隣り合う端部の間に空間を設けた請求項１に記載の除霜装置。
【請求項３】
前記ガラス管ヒータを前記エバポレータの上流側に配置した請求項１または２に記載の除霜装置。
【請求項４】
複数の前記反射板と前記ガラス管ヒータとを前記エバポレータに取り付けた請求項１から３のいずれか１項に記載の除霜装置を備えた冷蔵庫。
【発明の詳細な説明】
【技術分野】
【０００１】
本発明は、間接冷却方式の冷蔵庫等のエバポレータの除霜に用いる除霜装置およびこれを備えた冷蔵庫に関するものである。
【背景技術】
【０００２】
従来、この種の冷蔵庫などの除霜装置は、エバポレータ下部に設置したガラス管に封入した電熱線を予め設定した時間毎に通電し、その熱により冷却運転中にエバポレータに付着した霜や氷を融解させ除霜するものであった（例えば、特許文献１参照）。
【０００３】
図４は、特許文献１に記載された従来の除霜装置のガラス管ヒータの断面を示すものである。図４に示すように、従来の除霜装置のガラス管ヒータは、ガラス管１４、ガラス管１４の外表面の一部に設けた反射層１５、ガラス管１４内に配置された棒状セラミック１６、棒状セラミック１６に巻かれたヒータワイヤ１７、ガラス管１４の両端の開口部を塞ぐキャップ１８から構成されている。
【先行技術文献】
【特許文献】
【０００４】
【特許文献１】特開昭５９−１２８７９０号公報
【発明の概要】
【発明が解決しようとする課題】
【０００５】
しかしながら、上記従来の構成では、反射層１５がガラス管１４上に形成されているため反射層１５の断面形状が円形となり、熱の輻射方向が拡散し除霜が不要な部分に輻射されてしまい、また反射方向が熱源であるヒータワイヤ１７の方向に限定され、また、反射層１５の幅もガラス管１４の直径に制限されてしまい、効率的に霜を溶かすことが難しいという課題を有していた。
【０００６】
本発明は、上記従来の課題を解決するもので、効率的に着霜している部分のみを加熱することができる除霜装置を提供することを目的とする。
【課題を解決するための手段】
【０００７】
上記目的を達成するために、本発明の除霜装置は、複数の反射板の反射面を放物線の接線上に配置し、前記放物線の焦点にガラス管ヒータの中心を設置し、前記反射板の反射方向にエバポレータを配設したのである。
【０００８】
これによって、ガラス管ヒータからの輻射熱はエバポレータの方向のみに収束でき、エバポレータ上の霜を効率よく融解することができる。
【発明の効果】
【０００９】
本発明の除霜装置は、エバポレータにのみ集中してヒータからの熱を輻射することができ、除霜時間の短縮や、熱効率の向上により、ヒータの低容量化が図れるなど省エネ性を向上することができる。
【図面の簡単な説明】
【００１０】
【図１】本発明の実施の形態１における除霜装置の横断面図
【図２】同実施の形態の除霜装置の正面図
【図３】同実施の形態の除霜装置におけるヒータと反射板の配置を示す断面図
【図４】従来の除霜装置のヒータの断面図
【発明を実施するための形態】
【００１１】
第１の発明は、エバポレータと、ガラス管ヒータと、複数の反射板とよりなり、複数の前記反射板の反射面を放物線の接線上に配置し、前記放物線の焦点に前記ガラス管ヒータの中心を設置し、前記反射板の反射方向に前記エバポレータを配設した除霜装置である。
【００１２】
これにより、ガラス管ヒータよりの輻射熱は、放物面の反射によりエバポレータの方向にのみ反射され、ガラス管ヒータの輻射熱が全てエバポレータに集中することができる。つまり、ガラス管ヒータからの輻射熱はエバポレータの方向のみに収束でき、エバポレータ上の霜を効率よく融解することができる。そのため、除霜時間の短縮や、熱効率の向上により、ヒータの低容量化が図れるなど省エネ性を向上することができる。
【００１３】
第２の発明は、特に第１の発明において、複数の前記反射板の隣り合う端部の間に空間を設けたものであり、エバポレータからの除霜水が反射板の方向に落下するような配置の場合に、除霜水が反射板に留まることなく排水でき、また反射板下部の霜も溶かすことができる。
【００１４】
第３の発明は、特に第１または第２の発明において、前記ガラス管ヒータを前記エバポレータの上流側に配置したものであり、エバポレータの上流側は霜が付きやすいので、ガラス管ヒータをエバポレータの上流側に配置することにより、エバポレータの霜を効率よく融解することができる。
【００１５】
第４の発明は、複数の前記反射板と前記ガラス管ヒータとを前記エバポレータに取り付けた第１から第３の発明のいすれかの発明の除霜装置を備えた冷蔵庫であり、エバポレータ、ガラス管ヒータ、反射板の位置が固定でき、どのように取り付けても、それぞれの位置のずれによる効率の低下を生じない除霜装置を備えたので、冷蔵庫の省エネ性を向上することができる。
【００１６】
以下、本発明の実施の形態について、図面を参照しながら説明する。なお、この実施の形態によって本発明が限定されるものではない。
【００１７】
（実施の形態１）
図１は、本発明の実施の形態１における除霜装置の横断面図である。図２は、同実施の形態の除霜装置の正面図である。図３は、同実施の形態の除霜装置におけるヒータと反射板の配置を示す断面図である。
【００１８】
図１、図２において、エバポレータ１に、ガラス管ヒータ２、反射板３Ａ，３Ｂ，３Ｃ，３Ｄは支持板４により取り付けられ、その中心線は垂直に一致する。このとき、ガラス管ヒータ２と反射板３はその軸線を平行に配置され、ともにエバポレータ１に対し傾斜して固定される。
【００１９】
ドレンパン５は反射板３Ａ，３Ｂ，３Ｃ，３Ｄのさらに下方に一方に傾斜または、一部が凹んだ形状となり、その最も低い位置に排水管６が設置される。
【００２０】
エバポレータ１、ガラス管ヒータ２と反射板３は、冷蔵庫の筐体７の冷蔵室８と区画壁９により区画された冷却室１０に設置される。区画壁９のエバポレータ１上方には円形の孔９Ａを設け、送風機１１の吹き出し口となる。また、冷蔵室８の空気は、区画壁９に設けた吸い込み口９Ｂより、冷却室１０に吸い込まれる。
【００２１】
図３において、ガラス管ヒータ２は外殻であるガラス管１２、ヒータ線１３より構成され、ガラス管１２の中心軸に沿ってヒータ線１３は配設される。
【００２２】
反射板３Ａ，３Ｂ，３Ｃ，３Ｄの内面は、鏡面加工され、放物面の接線を含む。放物面の断面は（数１）により決定される。
【００２３】
【数１】
2011196561.tif 000003
このとき、放物面の焦点Ａの位置に、ヒータ線１３を配設することにより、反射板３により反射されるヒータ線１３から輻射された赤外線は、全てエバポレータ１方向へ輻射されることになる。
【００２４】
本実施の形態の冷蔵庫の筐体７の冷蔵室８と区画壁９により区画された冷却室１０に設置される除霜装置は、エバポレータ１と、ガラス管ヒータ２と、複数（本実施の形態では４つ）の反射板３Ａ，３Ｂ，３Ｃ，３Ｄとよりなり、複数の反射板３Ａ，３Ｂ，３Ｃ，３Ｄの反射面を放物線の接線上に配置し、前記放物線の焦点にガラス管ヒータ２の中心を設置し、反射板３Ａ，３Ｂ，３Ｃ，３Ｄの反射方向にエバポレータ１を配設している。
【００２５】
また、本実施の形態では、複数（本実施の形態では４つ）の反射板３Ａ，３Ｂ，３Ｃ，３Ｄの隣り合う端部の間に空間を設け、ガラス管ヒータ２をエバポレータ１の上流（風上）側に配置している。
【００２６】
次に上記構成の動作について説明する。
【００２７】
冷却運転により、冷蔵室７内の水分がエバポレータ１に霜となって付着する。所定時間が経過後、冷却運転を停止するとともに、ガラス管ヒータ２が運転され、発熱を始める。
【００２８】
このとき、ガラス管ヒータ２から輻射された熱の一部は、下方に位置する複数の反射板３Ａ，３Ｂ，３Ｃ，３Ｄに反射される。ヒータ線１３は、略放物面である反射板３Ａ，３Ｂ，３Ｃ，３Ｄの焦点に位置するので、反射された熱は全て、上方のみに反射される。
【００２９】
これにより、ガラス管ヒータ２より輻射された熱の大部分は、エバポレータ１の方向にのみ輻射されるので、効率よくエバポレータ１に付着した霜を加熱することになる。
【００３０】
加熱により、エバポレータ１上の霜が融解すると、水滴となり下方に落下する。この水滴は、反射板３Ａ，３Ｂ，３Ｃ，３Ｄ上に落下する。このとき、反射板３Ａ，３Ｂ，３Ｃ，３Ｄは一定の間隔を開けて設置されているので、水滴は反射板３Ａ，３Ｂ，３Ｃ，３Ｄ上を流れ、下端の隙間よりドレンパン５に落下する。そして排水管６に流入し、冷蔵庫の筐体外に排出される。
【００３１】
また、融解しないまま落下した霜は、ドレンパン５上で、ガラス管ヒータ２からの輻射により、直接融解し水となって、排出される。
【００３２】
以上のように本実施の形態では、ガラス管ヒータ２より輻射した熱の大部分が、一方向に収束し、エバポレータ１を効率的に加熱するので、除霜運転が早く終了し、または低容量ヒータにおいて、反射板のない時と比べ、時間の増大もなく、また、ドレンパン５上の霜も直接融解することが可能となり、また不要な部分を加熱せずにすむため、除霜運転中に問題となる冷蔵庫の庫内温度上昇も抑制できるなど、地球環境保護及び保鮮機能の向上が図れるなどに多大な効果を有する。
【００３３】
なお、本実施の形態では、反射板３Ａ，３Ｂ，３Ｃ，３Ｄを４分割として略放物面を形成したが、もっと多くの分割を行い校正することで、反射の単一指向性は向上することができ、一層の効果の向上が図れる。
【産業上の利用可能性】
【００３４】
以上のように、本発明にかかる除霜装置は、輻射式ヒータの熱をエバポレータ方向に集中して照射することが可能となり、除霜効率の向上によりエネルギーの有効利用が図れることより、除霜装置およびこれを備えた冷蔵庫や局部加熱が必要な加熱装置などにも適用できる。
【符号の説明】
【００３５】
１  エバポレータ
２  ガラス管ヒータ
３Ａ  反射板
３Ｂ  反射板
３Ｃ  反射板
３Ｄ  反射板
４  支持板
【図１】
2011196561.tif 000004
【図２】
2011196561.tif 000005
【図３】
2011196561.tif 000006
【図４】
2011196561.tif 000007